(57)【要約】【課題】通信機器の動作が停止しているか否かを、通信機器の外部インタフェースから試験することが可能な通信機器の動作試験方法を提供する。【解決手段】通信機器４のＡ信号端子４０２に接続されたＤＣ電源３１をリレー接点３３ｂで切り離すことによって、通信機器４に与えられるべき動作制御信号を遮断した場合と、Ｂ信号端子４０３に接続された抵抗器Ｒ２をリレー接点３４ｂで切り離すことによって、Ｂ信号端子４０３から見た外部回路の抵抗値が通信機器４の動作を保持するのに必要な抵抗値以上に増大した場合とで、電流計３２で検出した通信機器４の電源電流が３ｍＡより少ないときに、通信機器４が停止していると判定する。【選択図】図１
2012068160.tif 000002
【特許請求の範囲】
【請求項１】
通信機器の動作を試験する方法において、
前記通信機器を所定の電気回路と接続／切り離して前記通信機器に動作／停止を切り替えさせ、
前記電気回路の切り離し後に前記通信機器に供給される電源電流を検出し、
検出した電源電流が所定電流より少ないか否かを判定することにより、前記通信機器が停止しているか否かを判定すること
を特徴とする通信機器の動作試験方法。
【請求項２】
前記電気回路は、抵抗器を含むことを特徴とする請求項１に記載の通信機器の動作試験方法。
【請求項３】
前記電気回路は、前記通信機器を動作させる信号を出力することを特徴とする請求項１又は２に記載の通信機器の動作試験方法。
【請求項４】
通信手段を介して前記通信機器及び情報処理装置を接続し、
前記通信機器及び情報処理装置間の通信が確立するか否かを判定することにより、前記通信機器が動作しているか否かを判定すること
を特徴とする請求項１から３の何れか１項に記載の通信機器の動作試験方法。
【請求項５】
前記電源電流が前記所定電流より多い第２の電流より多いか否かを判定することにより、前記通信機器が動作しているか否かを判定すること
を特徴とする請求項１から４の何れか１項に記載の通信機器の動作試験方法。
【発明の詳細な説明】
【技術分野】
【０００１】
本発明は、通信機器の動作試験方法に関する。
【背景技術】
【０００２】
マイクロコンピュータ（マイコン）を含んでなるＥＣＵ等の通信機器が搭載された車両では、例えば車両のイグニッションスイッチ（ＩＧスイッチ）がオンの場合に通信機器が動作し、ＩＧスイッチがオフの場合に通信機器が動作を停止してマイコンがスリープ状態に入る。工場における出荷前の試験、及び保守の際の試験では、ＩＧスイッチがオフされたときなどに通信機器が動作を停止するか否かを試験する必要がある。この場合、通信機器のケースを開放し、電源部のテストポイントに電圧計のプローブを当てて電圧を測定することにより、通信機器が動作を停止しているか否かが容易に判定される。
【０００３】
一方、通信機器が防水構造を有するケースに収容されている場合、一般的にはＯリング等のシール部材を介して２つの蓋体（又はケース本体及び蓋体）がネジで接合されたケースが用いられており（特許文献１参照）、上述したように通信機器の電源部に電圧計のプローブを当てるには、ケースの蓋体を開放しなければならない。
【先行技術文献】
【特許文献】
【０００４】
【特許文献１】登録実用新案第２５８５８００号公報
【発明の概要】
【発明が解決しようとする課題】
【０００５】
しかしながら、防水構造を有するケースの蓋体を開放した場合は、試験後に蓋体を閉止したときに、シール部材を含めた蓋体同士（又はケース本体及び蓋体）の接合が不完全になり易いという問題がある。また、例えばケースに収容した通信機器を恒温槽に収容したまま、通信機器の動作が停止しているか否かを試験しなければならないこともある。
【０００６】
本発明は斯かる事情に鑑みてなされたものであり、その目的とするところは、通信機器の動作が停止しているか否かを、通信機器の外部インタフェースから試験することが可能な通信機器の動作試験方法を提供することにある。
【課題を解決するための手段】
【０００７】
本発明に係る通信機器の動作試験方法は、通信機器の動作を試験する方法において、前記通信機器を所定の電気回路と接続／切り離して前記通信機器に動作／停止を切り替えさせ、前記電気回路の切り離し後に前記通信機器に供給される電源電流を検出し、検出した電源電流が所定電流より少ないか否かを判定することにより、前記通信機器が停止しているか否かを判定することを特徴とする。
【０００８】
本発明にあっては、通信機器を所定の電気回路と接続及び切り離しすることによって、夫々通信機器を動作及び停止させ、電気回路を通信機器から切り離した後に検出した通信機器の電源電流が所定電流より少ない場合に、通信機器が停止していると判定する。
これにより、所定のインタフェースで接続された電気回路が切り離されたときに、通信機器が確実に停止するか否かが、通信機器の電源インタフェースから試験される。
【０００９】
本発明に係る通信機器の動作試験方法は、前記電気回路は、抵抗器を含むことを特徴とする。
【００１０】
本発明にあっては、通信機器との接続／切り離しによって通信機器を動作／停止させる電気回路が、抵抗器を含んでなる。
これにより、例えば、所定のインタフェースから見た電気回路側の抵抗値の小／大によって通信機器の動作／停止が切り替わる場合に、電機回路側の抵抗値の増大によって通信機器が確実に停止するか否かが試験される。
【００１１】
本発明に係る通信機器の動作試験方法は、前記電気回路は、前記通信機器を動作させる信号を出力することを特徴とする。
【００１２】
本発明にあっては、通信機器との接続／切り離しによって通信機器を動作／停止させる電気回路が、通信機器を動作させる信号を出力する。
これにより、例えば、所定のインタフェースに与えられるべき信号の有／無によって通信機器の動作／停止が切り替わる場合に、前記信号が遮断されることによって通信機器が確実に停止するか否かが試験される。
【００１３】
本発明に係る通信機器の動作試験方法は、通信手段を介して前記通信機器及び情報処理装置を接続し、前記通信機器及び情報処理装置間の通信が確立するか否かを判定することにより、前記通信機器が動作しているか否かを判定することを特徴とする。
【００１４】
本発明にあっては、通信手段を介して接続した通信機器及び情報処理装置間で通信が確立する場合に、通信機器が動作していると判定する。
これにより、所定のインタフェースで所定の電気回路と接続されたときに、通信機器が動作するか否かが、通信機器の通信インタフェースから試験される。
【００１５】
本発明に係る通信機器の動作試験方法は、前記電源電流が前記所定電流より多い第２の電流より多いか否かを判定することにより、前記通信機器が動作しているか否かを判定することを特徴とする。
【００１６】
本発明にあっては、電気回路を通信機器に接続した後に検出した通信機器の電源電流が、通信機器の停止を判定するための所定電流より多い第２の電流より更に多い場合に、通信機器が動作していると判定する。
これにより、所定のインタフェースで所定の電気回路と接続されたときに、通信機器が動作するか否かが、通信機器の電源インタフェースから試験される。
【発明の効果】
【００１７】
本発明によれば、電気回路を通信機器から切り離した後に通信機器に供給される電源電流に基づいて、通信機器が停止しているか否かを判定する。これにより、所定のインタフェースで接続された電気回路が切り離されたときに、通信機器が確実に停止するか否かが、通信機器の電源インタフェースから試験される。
従って、通信機器の動作が停止しているか否かを、通信機器の外部インタフェースから試験することが可能となる。
【図面の簡単な説明】
【００１８】
【図１】本発明の実施の形態に係る情報処理装置及び通信機器の構成例を示すブロック図である。
【図２】通信機器４の試験条件、検出内容及び判定結果を説明するための図表である。
【図３】通信機器の動作を試験するＣＰＵの処理手順を示すフローチャートである。
【図４】通信機器の動作を試験するＣＰＵの処理手順を示すフローチャートである。
【発明を実施するための形態】
【００１９】
以下、本発明をその実施の形態を示す図面に基づいて詳述する。
図１は、本発明の実施の形態に係る情報処理装置及び通信機器の構成例を示すブロック図である。図中１はパーソナルコンピュータからなる情報処理装置であり、情報処理装置１は、ＬＣＤからなる表示部２１及びキーボード２２が接続された制御部１０を備える。制御部１０は、ＣＰＵ１１を有し、ＣＰＵ１１は、ＢＩＯＳ（Basic Input Output System ）等の情報を記憶するＲＯＭ１２、プログラム及び一時的に発生した情報を記憶するＲＡＭ１３、並びにハードディスク等の内部記憶装置１４とバス接続されている。制御部１０には、また、外部のＤＣ電源（ＤＣ）３１のオン・オフ及び出力電圧を制御するためのシリアルインタフェース（ＲＳ−２３２Ｃ）２３と、外部に対する各種の入出力を行う入出力部（Ｉ／Ｏ）２４と、ブルートゥース（登録商標。ＢＴ）による通信を行う通信部２６を制御するためのシリアルインタフェース２５と、後述する電流計３２が検出した電流を取り込むためのＵＳＢインタフェース２７とが接続されている。
【００２０】
ＤＣ電源３１の出力端子は、電源電流を検出する電流計３２を介して通信機器４の電源（＋Ｂ）端子４０１に接続されると共に、リレー駆動回路（ＲＹ）３３ａによって駆動されるリレー接点３３ｂを介して通信機器４のＡ信号端子４０２に接続されている。電流計３２の検出端子は、ＵＳＢインタフェース２７に接続されており、リレー駆動回路３３ａは、入出力部２４に接続されている。入出力部２４には、また、通信機器４のＢ信号端子４０３及びＧＮＤ端子４０４間に抵抗器Ｒ２を介して接続されたリレー接点３４ｂを駆動するリレー駆動回路３４ａが接続されている。リレー接点３４ｂ及び抵抗器Ｒ２の直列回路には、抵抗器Ｒ１が並列に接続されている。
【００２１】
通信機器４は、樹脂からなる防水ケース４０に収容されており、ＣＰＵ４１を備える。ＣＰＵ４１は、プログラム等の情報を記憶するＲＯＭ４２、一時的に発生した情報を記憶するＲＡＭ４３、通信機器４内の各部位に対する入出力を行う入出力部（Ｉ／Ｏ）４４、及びブルートゥース（ＢＴ）による通信を行う通信部４５とバス接続されている。通信機器４が動作している場合、ＣＰＵ４１から通信部４５に対してブルートゥースの通信制御が行われ、通信部４５がサーバとしてのサービス起動中となって、クライアントからの接続を待ち受けるようになっている。
【００２２】
Ａ信号端子４０２は、電源端子４０１に電源電圧が印加されている場合に、通信機器４を動作させるための動作制御信号が与えられる端子である。Ａ信号端子４０２に与えられるべき動作制御信号は、電源端子４０１に印加される電源電圧と同電圧の信号であり、この動作制御信号の有／無によって、通信機器４の動作／停止が切り替わるようになっている。換言すれば、一種の電気回路であるＤＣ電源３１が、通信機器４を動作させる動作制御信号を出力しており、ＤＣ電源３１がリレー接点３３ｂによって通信機器４と接続／切り離しされることにより、通信機器４が動作／停止する。
【００２３】
Ｂ信号端子４０３は、通信機器４が停止している場合に、通信機器４を動作させるための電気回路が接続される端子である。本実施の形態では、Ｂ信号端子４０３端子から見た電気回路側の抵抗値の小／大によって通信機器４の動作／停止が切り替わるようになっている。具体的には、Ｂ信号端子４０３端子から見た抵抗値が大（抵抗器Ｒ１の抵抗値）の場合、通信機器４が停止し、Ｂ信号端子４０３端子から見た抵抗値が小（抵抗器Ｒ１，Ｒ２の並列抵抗値）の場合、通信機器４が動作する。換言すれば、一種の電気回路である抵抗器Ｒ２がリレー接点３４ｂによって通信機器４と接続／切り離しされることにより、通信機器４が動作／停止する。
尚、図１では、機器（又は装置）間の接地電位の接続を図示せずに省略してある。
【００２４】
情報処理装置１の制御部１０が有する内部記憶装置１４は、ＣＰＵ１１が実行すべきコンピュータプログラムを記憶している。ＣＰＵ１１は、ＲＯＭ１２に記憶されているＢＩＯＳに基づいて内部記憶装置１４からＲＡＭ１３にプログラムローダをロードし、該ローダに基づいて内部記憶装置１４からコンピュータプログラムをＲＡＭ１３にロードする。その後、ＣＰＵ１１は、ロードされたコンピュータプログラムに基づいて、通信機器４の試験に必要な処理を実行する。
【００２５】
次に、通信機器４の試験方法について説明する。
図２は、通信機器４の試験条件、検出内容及び判定結果を説明するための図表である。図に示す４項目の各試験において、電源（＋Ｂ）端子４０１に印加する電圧（Ｖ）と、Ａ信号端子４０２及びＢ信号端子４０３の夫々に接続されるリレー接点３３ｂ，３４ｂのオン／オフ状態とが、試験条件として与えられる。また、通信部（ＢＴ）４５，２６間の通信が確立するか／しないかと、電源（＋Ｂ）端子４０１に流入する電源電流が３ｍＡより少ないか／否かとが検出されて判定に用いられる。
尚、本実施の形態では、電源端子４０１に印加する電圧を８Ｖに固定しているが、例えばこの電圧を１６Ｖに変更して試験を行ってもよい。
【００２６】
以下では、図２の試験項目順に正常ケースの判定結果について説明する。
試験項目１では、リレー接点３３ｂがオンされているため、正常ケースでは通信機器４が動作して通信部４５，２６間の通信が確立する。これにより、通信機器４が動作していると判定される。この場合、電源電流の大小は判定に影響を与えない。
試験項目２，４では、リレー接点３３ｂ，３４ｂがオフされているため、通信機器４は停止しており、通信部４５，２６間の通信が確立しない。但し、通信が確立しないことを以て通信機器４が完全に停止しているとは断定できないため、電源電流が３ｍＡより少ないことが確認されたときにのみ、通信機器４が停止していると判定される。このときの基準電流である３ｍＡは、通信機器４の停止時の暗電流に応じて適当な値を採用することが好ましい。
【００２７】
試験項目３では、リレー接点３４ｂがオンされているため、正常ケースでは通信機器４が動作して通信部４５，２６間の通信が確立する。これにより、通信機器４が動作していると判定される。
以上の試験を行う上では、通信機器４の動作から停止への変化を捉えるために、試験項目の番号１〜４の順番で試験を行う。尚、本実施の形態では、試験項目１，３において、通信部４５，２６間の通信が確立することを以て通信機器４が動作していると判定しているが、これに限定されるものではなく、例えば、２ｍＡより多い適当な電流を基準電流とし、該基準電流より電源電流が多い場合に、通信機器４が動作していると判定してもよい。
【００２８】
以上の構成及び試験方法に基づく通信機器４の試験手順を、フローチャートを用いて説明する。
図３，４は、通信機器４の動作を試験するＣＰＵ１１の処理手順を示すフローチャートである。以下の処理は、情報処理装置１のキーボード２２から指示された通信機器４の試験が受け付けられたときに起動され、ＲＡＭ１３に予めロードされたコンピュータプログラムに従ってＣＰＵ１１により実行される。
【００２９】
図３の処理が起動された場合、ＣＰＵ１１は、ＤＣ電源３１の出力電圧を８Ｖに制御してオンさせる（Ｓ１１）。これにより、電源端子４０１には、８Ｖの電源電圧が印加される。その後、ＣＰＵ１１は、試験項目に１を記憶し（Ｓ１２）、Ａ信号端子４０２に接続されたリレー接点３３ｂをオフし（Ｓ１３）、更にＢ信号端子４０３に接続されたリレー接点３４ｂをオフして（Ｓ１４）、リレー接点３３ｂ，３４ｂを一旦初期状態にする。
【００３０】
次に、ＣＰＵ１１は、記憶している試験項目が１であるか否かを判定し（Ｓ１５）、試験項目が１である場合（Ｓ１５：ＹＥＳ）、Ｂ信号端子４０３に接続されたリレー接点３４ｂをオンして（Ｓ１６）後述するステップＳ２１に処理を移す。試験項目が１ではない場合（Ｓ１５：ＮＯ）、ＣＰＵ１１は、試験項目が３であるか否かを判定し（Ｓ１７）、試験項目が３ではない場合（Ｓ１７：ＮＯ）、ステップＳ２１に処理を移す。試験項目が３である場合（Ｓ１７：ＹＥＳ）、ＣＰＵ１１は、Ａ信号端子４０２に接続されたリレー接点３３ｂをオンして（Ｓ１８）ステップＳ２１に処理を移す。
以上の処理により、図２の試験項目１から４について、試験条件の設定が全て終了したことになる。
【００３１】
以下では、図４の処理について説明する。図３の処理から移って、ＣＰＵ１１は、シリアルインタフェース２５を介し（以下同様）、通信部２６にブルートゥースのクライアントとして接続要求を送出させる（Ｓ２１）。その後、ＣＰＵ１１は、通信部２６，４５間の通信が確立したか否かを判定し（Ｓ２２）、確立した場合（Ｓ２２：ＹＥＳ）、表示部２１に、通信機器４が動作している旨を表示して（Ｓ２３）、後述するステップＳ２８に処理を移す。通信が確立しない場合（Ｓ２２：ＮＯ）、ＣＰＵ１１は、ＵＳＢインタフェース２７を介して、電流計３２が検出した電源電流を取り込み（Ｓ２４）、取り込んだ電源電流が３ｍＡより少ないか否かを判定する（Ｓ２５）。３ｍＡより少ない場合（Ｓ２５：ＹＥＳ）、ＣＰＵ１１は、表示部２１に、通信機器４が停止している旨を表示して（Ｓ２６）、ステップＳ２８に処理を移す。電源電流が３ｍＡ以上の場合（Ｓ２５：ＮＯ）、ＣＰＵ１１は、表示部２１に、通信機器４が動作不定の旨を表示する（Ｓ２７）。
【００３２】
次に、ＣＰＵ１１は、記憶している試験項目を１つインクリメントし（Ｓ２８）、試験項目が５であるか否かを判定する（Ｓ２９）。試験項目が５である場合（Ｓ２９：ＹＥＳ）、図４の処理を終了し、５ではない場合（Ｓ２９：ＮＯ）、処理を図３のステップＳ１３に戻す。これにより、試験項目を１つ進めた次の試験が実行される。
【００３３】
以上のように本実施の形態によれば、通信機器を所定の電気回路と接続及び切り離しすることによって、夫々通信機器を動作及び停止させ、電気回路を通信機器から切り離した後に検出した通信機器の電源電流が３ｍＡより少ない場合に、通信機器が停止していると判定する。
これにより、所定のインタフェースで接続された電気回路が切り離されたときに、通信機器が確実に停止するか否かが、通信機器の電源端子から試験される。
従って、通信機器の動作が停止しているか否かを、通信機器の外部インタフェースから試験することが可能となる。
【００３４】
また、電気回路が１つの抵抗器からなり、Ｂ信号端子から見た電気回路側の抵抗値の小／大によって通信機器の動作／停止が切り替わるようにしてある。
従って、所定のインタフェースに接続された電気回路の抵抗値の増大によって通信機器が確実に停止するか否かを試験することが可能となる。
【００３５】
更にまた、ＤＣ電源の出力端子からＡ信号端子に与えられる動作制御信号の有／無によって通信機器の動作／停止が切り替わるようにしてある。
従って、所定のインタフェースに与えられた動作制御信号が遮断されることによって通信機器が確実に停止するか否かを試験することが可能となる。
【００３６】
更にまた、ブルートゥースによる通信を行う通信部を介して接続した通信機器及び情報処理装置間で通信が確立する場合に、通信機器が動作していると判定する。
従って、所定のインタフェースで所定の電気回路と接続されたときに通信機器が動作するか否かを、通信機器の通信インタフェースから試験することが可能となる。
【００３７】
更にまた、電気回路を通信機器に接続した後に検出した通信機器の電源電流が、３ｍＡより多い適当な電流より更に多い場合に、通信機器が動作していると判定してもよいことが示される。
従って、所定のインタフェースで電気回路と接続されたときに通信機器が動作するか否かを、通信機器の電源インタフェースから試験することが可能となる。
【００３８】
尚、本実施の形態にあっては、ＤＣ電源３１が通信機器を動作させる動作制御信号を出力する例を示したが、これに限定されるものではなく、ＤＣ電源３１とは別の電気回路が通信機器を動作させる動作制御信号を出力するようにしてもよい。
また、Ｂ信号端子４０３に接続される電気回路が抵抗器Ｒ２である例を示したが、これに限定されるものではなく、抵抗器と他の回路素子とを組み合わせてもよい。
【符号の説明】
【００３９】
１  情報処理装置
１０  制御部
１１  ＣＰＵ
２６  通信部（通信手段）
３１  ＤＣ電源（電気回路）
３２  電流計
３３ｂ、３４ｂ  リレー接点
４  通信機器
４０  防水ケース
４１  ＣＰＵ
４５  通信部（通信手段）
Ｒ２  抵抗器（電気回路）
【図１】
2012068160.tif 000003
【図２】
2012068160.tif 000004
【図３】
2012068160.tif 000005
【図４】
2012068160.tif 000006